(57)【要約】【課題】端末の状態に応じて接続処理を制御する。【解決手段】コンピュータによって実行される接続判定プログラムにおいて、接続要求を受信すると、前記コンピュータがログイン状態であるか否かを判定し、ログイン状態であると判定された場合、前記接続要求の許否についての入力を求める表示を行い、ログイン状態でないと判定された場合、前記表示をせずに、非ログイン状態に対応する情報を前記接続要求の要求元に送信する。【選択図】図６
2018081639.tif 000002
【特許請求の範囲】
【請求項１】
コンピュータによって実行される接続判定プログラムにおいて、
接続要求を受信すると、前記コンピュータがログイン状態であるか否かを判定し、
ログイン状態であると判定された場合、前記接続要求の許否についての入力を求める表示を行い、
ログイン状態でないと判定された場合、前記表示をせずに、非ログイン状態に対応する情報を前記接続要求の要求元に送信する、
処理をコンピュータに実行させることを特徴とする接続判定プログラム。
【請求項２】
ログイン状態であると判定された場合、ログイン状態に対応する情報を前記要求元に送信する、
ことを特徴とする請求項１に記載の接続判定プログラム。
【請求項３】
前記接続要求を許可する入力を受け付けると、前記接続要求を許可することを示す情報を前記要求元に送信する、
ことを特徴とする請求項１に記載の接続判定プログラム。
【請求項４】
ログイン状態でないと判定された場合、所定のタイミングにおいて、再度ログイン状態であるか否かを判定する、
ことを特徴とする請求項１に記載の接続判定プログラム。
【請求項５】
前記接続要求を許可した後、接続の切断を受け付けるための表示を行う、
ことを特徴とする請求項３に記載の接続判定プログラム。
【請求項６】
接続要求を受信すると、前記接続要求の対象端末がログイン状態であるか否かを判定する状態判定部と、
ログイン状態であると判定された場合、前記接続要求の許否についての入力を求める表示を行う許否判定部と、
ログイン状態でないと判定された場合、前記表示をせずに、非ログイン状態に対応する情報を前記接続要求の要求元に送信する送信部と、
を含むことを特徴とする接続判定装置。
【請求項７】
コンピュータによって実行される接続判定方法において、
接続要求を受信すると、前記コンピュータがログイン状態であるか否かを判定し、
ログイン状態であると判定された場合、前記接続要求の許否についての入力を求める表示を行い、
ログイン状態でないと判定された場合、前記表示をせずに、非ログイン状態に対応する情報を前記接続要求の要求元に送信する、
処理をコンピュータが実行することを特徴とする接続判定方法。
【発明の詳細な説明】
【技術分野】
【０００１】
本発明は、接続判定プログラム、接続判定装置、及び接続判定方法に関する。
【背景技術】
【０００２】
従来、情報処理端末に遠隔から接続して操作する技術が存在する。例えば、特別なハードウェアの必要なしに、分配されたコンピュータシステムでユーザを確認するシステムが提案されている。このシステムは、ユーザコンピュータと、ユーザＩＤと暗号化されたパスワードを含むファイルを有する遠隔コンピュータと、接続ネットワークとを備える。ユーザコンピュータは、遠隔コンピュータと通信し、分配されたコンピュータシステムのコンピュータ間で秘密移送層プロトコールを使用し、ユーザＩＤＳ暗号化されたパスワードを含むファイルを備えている多重ログオン手順を含む通信プログラムを備えている。そして、ユーザのサービス要求は多重ログオン手順により処理され、多重ログオン手順はユーザ識別コードと暗号化されたパスワードを含むファイルにアクセスし、遠隔コンピュータの暗号化されたパスワードを解読する。そして、ＩＤと解読されたパスワードを遠隔コンピュータに転送し、ログオンする。
【０００３】
また、停止状態にあるデータ端末が稼動状態に移行した際に即座に複数のデータ端末間の通信接続を実行し得る技術が提案されている。この技術では、ＶＣＳサーバＳＶにおいて、呼情報イベントを受信したときに、内線端末−ＶＣ関連付けテーブル中にログオフ状態であるデータ端末のユーザＩＤと「ログオフ状態」を示す情報と「リスナ登録中」とを対応付けて記録する。データ端末がログオフ状態からログオン状態に移行した際に、内線端末−ＶＣ関連付けテーブルを参照してデータ端末が「リスナ登録中」であるか否かを判定し、リスナ登録中である場合に、データ端末間のセッションを確立する。
【先行技術文献】
【特許文献】
【０００４】
【特許文献１】特開平６−５２１１０号公報
【特許文献２】特開２００７−３１８６１３号公報
【発明の概要】
【発明が解決しようとする課題】
【０００５】
例えば、企業や自治体などで使用されている業務システムの保守などを目的として、運用保守者等が遠隔の情報処理端末から、企業や自治体などに設置された保守対象の情報処理端末に接続して遠隔操作する場合がある。しかし、保守対象の情報処理端末で実行される業務処理において、例えば、個人情報などの秘匿すべき情報を扱っている場合などもある。したがって、保守対象の情報処理端末の状態にかかわらず、運用保守者側の情報処理端末から接続及び遠隔操作が実行されると、個人情報の保護や情報漏洩等の観点から不都合が生じる場合がある。
【０００６】
本発明は、一つの側面として、端末の状態に応じて接続処理を制御することを目的とする。
【課題を解決するための手段】
【０００７】
一つの態様として、コンピュータによって実行される接続判定プログラムにおいて、接続要求を受信すると、前記コンピュータがログイン状態であるか否かを判定し、ログイン状態であると判定された場合、前記接続要求の許否についての入力を求める表示を行う。そして、ログイン状態でないと判定された場合、前記表示をせずに、非ログイン状態に対応する情報を前記接続要求の要求元に送信する。
【発明の効果】
【０００８】
一つの側面として、端末の状態に応じて接続処理を制御することができる。
【図面の簡単な説明】
【０００９】
【図１】本実施形態の概略構成を示すブロック図である。
【図２】接続判定装置の機能ブロック図である。
【図３】接続許否選択画面の一例を示す図である。
【図４】通知ウィンドウの一例を示す図である。
【図５】接続判定装置を搭載した操作対象端末として機能するコンピュータの概略構成を示すブロック図である。
【図６】接続判定処理の一例を示すフローチャートである。
【図７】管理用画面の一例を示す図である。
【発明を実施するための形態】
【００１０】
以下、図面を参照して開示の技術に係る実施形態の一例を詳細に説明する。
【００１１】
図１に示すように、本実施形態に係る接続判定装置１０は、管理者端末３０から遠隔操作される操作対象端末２０に搭載される。操作対象端末２０は、クライアント側に配置され、業務処理が実行される情報処理端末である。管理者端末３０は、操作対象端末２０で実行される業務処理の運用、監視、保守等を行う管理者側に配置される情報処理端末である。操作対象端末２０及び管理者端末３０の各々は、サーバ装置、パーソナルコンピュータ、タブレット端末等で実現することができる。管理者端末３０と操作対象端末２０とは、インターネット等のネットワークを介して接続される。なお、操作対象端末２０及び管理者端末３０の各々の数は図１の例に限定されず、例えば、１台の管理者端末３０から、複数の操作対象端末２０の各々に接続要求を行うこともできる。
【００１２】
接続判定装置１０は、機能的には、図２に示すように、状態判定部１２と、許否判定部１４と、送信部１６とを含む。
【００１３】
状態判定部１２は、管理者端末３０から送信された接続要求を受信した場合に、接続判定装置１０が搭載された操作対象端末２０（以下、「自端末」ともいう）がログイン状態か否かを判定する。具体的には、状態判定部１２は、自端末のOperating System（ＯＳ）にログイン状態か否かの問合せを行い、ＯＳから返送される情報に基づいて、自端末がログイン状態か否かを判定する。状態判定部１２は、自端末がログイン状態ではない状態（以下、「非ログイン状態」ともいう）であると判定した場合には、その判定結果を送信部１６へ通知する。
【００１４】
また、状態判定部１２は、自端末がログイン状態であると判定した場合には、自端末がスクリーンロック状態か否かを判定する。スクリーンロック状態とは、ログイン状態ではあるが、例えば、不正な操作の防止などのために、各種操作を受け付けないように画面をロックした状態である。状態判定部１２は、上記のログイン状態か否かの判定と同様に、ＯＳへの問合せにより、スクリーンロック状態か否かを判定する。状態判定部１２は、自端末がスクリーンロック状態であると判定した場合には、その判定結果を送信部１６へ通知する。また、状態判定部１２は、自端末がスクリーンロック状態ではない状態（以下、「非スクリーンロック状態」ともいう）であると判定した場合には、その判定結果を許否判定部１４へ通知する。
【００１５】
また、状態判定部１２は、自端末において、非ログイン状態又はスクリーンロック状態が継続する場合、所定時間間隔で、ログイン状態か否か、及びスクリーンロック状態か否かの判定を繰り返す。管理者端末３０から接続要求を受信してから、ログイン状態かつ非スクリーンロック状態と判定されることなく一定時間が経過した場合、状態判定部１２は、判定処理をタイムアウトし、その判定結果を送信部１６へ通知する。
【００１６】
許否判定部１４は、状態判定部１２から、自端末がログイン状態かつ非スクリーンロック状態であるとの判定結果を通知された場合、自端末が備える表示部に、接続要求の許否についての入力を求める表示を行う。例えば、許否判定部１４は、図３に示すように、ダイアログボックス形式の接続許否選択画面６０を、自端末の表示部に表示することができる。図３の例では、接続許否選択画面６０には、接続要求に対する許否を問い合わせるメッセージ６１と、接続要求を許可する場合に選択される許可ボタン６２と、接続要求を拒否する場合に選択される拒否ボタン６３とが含まれる。
【００１７】
許否判定部１４は、接続許否選択画面６０を表示した場合には、その旨を送信部１６へ通知する。また、許否判定部１４は、操作対象端末２０の操作者により、許可ボタン６２及び拒否ボタン６３のいずれが選択されたかを示す情報を送信部１６へ通知する。
【００１８】
また、許否判定部１４は、接続許否選択画面６０から許可ボタン６２が選択された場合、自端末の表示部に、自端末と管理者端末３０との接続を切断する指示を受け付けるための表示を行う。この表示により、一旦接続を許可した場合においても、任意のタイミングで操作対象端末２０側から接続を切断可能とする。例えば、許否判定部１４は、図４に示すように、自端末の表示部に常駐させる通知ウィンドウ７０を表示することができる。図４の例では、通知ウィンドウ７０には、接続を切断する際に選択される切断ボタン７１と、「モニタリング中」、「遠隔操作中」などの管理者端末３０からの遠隔操作の状態が表示される表示領域７２とが含まれる。
【００１９】
許否判定部１４は、操作対象端末２０の操作者により切断ボタン７１が選択された場合、自端末と管理者端末３０との接続を切断すると共に、通知ウィンドウ７０の表示を終了し、切断ボタン７１が選択されたことを示す情報を送信部１６へ通知する。なお、許否判定部１４は、管理者端末３０側から接続が切断された場合にも、通知ウィンドウ７０の表示を終了する。
【００２０】
送信部１６は、状態判定部１２から、自端末が非ログイン状態であるとの判定結果を通知された場合、操作対象端末２０が非ログイン状態であることを示す状態情報を管理者端末３０へ送信する。また、送信部１６は、状態判定部１２から、自端末がスクリーンロック状態であるとの判定結果を通知された場合、操作対象端末２０がスクリーンロック状態であることを示す状態情報を管理者端末３０へ送信する。
【００２１】
また、送信部１６は、許否判定部１４から、接続許否選択画面６０を表示した旨を通知された場合、接続許否を確認中であることを示す状態情報を管理者端末３０へ送信する。
【００２２】
また、送信部１６は、許否判定部１４から、接続許否選択画面６０の許可ボタン６２が選択されたことを通知された場合、管理者端末３０からの接続要求を許可することを示す接続許可情報を管理者端末３０へ送信する。また、送信部１６は、許否判定部１４から、接続許否選択画面６０の拒否ボタン６３が選択されたことを通知された場合、管理者端末３０からの接続要求を拒否することを示す接続拒否情報を管理者端末３０へ送信する。また、送信部１６は、状態判定部１２から、ログイン状態及びスクリーンロック状態の判定処理がタイムアウトした旨の判定結果を通知された場合、接続拒否情報を管理者端末３０へ送信する。また、送信部１６は、許否判定部１４から、通知ウィンドウ７０の切断ボタン７１が選択されたことを通知された場合、接続拒否情報を管理者端末３０へ送信する。
【００２３】
接続判定装置１０が搭載される操作対象端末２０は、例えば図５に示すコンピュータ４０で実現することができる。コンピュータ４０は、Central Processing Unit（ＣＰＵ）４１と、一時記憶領域としてのメモリ４２と、不揮発性の記憶部４３とを備える。また、コンピュータ４０は、入出力装置４４と、記憶媒体４９に対するデータの読み込み及び書き込みを制御するRead/Write（Ｒ／Ｗ）部４５と、インターネット等のネットワークに接続される通信インターフェース（Ｉ／Ｆ）４６とを備える。ＣＰＵ４１、メモリ４２、記憶部４３、入出力装置４４、Ｒ／Ｗ部４５、及び通信Ｉ／Ｆ４６は、バス４７を介して互いに接続される。
【００２４】
記憶部４３は、Hard Disk Drive（ＨＤＤ）、Solid State Drive（ＳＳＤ）、フラッシュメモリ等によって実現できる。記憶媒体としての記憶部４３には、コンピュータ４０を、接続判定装置１０が搭載された操作対象端末２０として機能させるための接続判定プログラム５０が記憶される。接続判定プログラム５０は、状態判定プロセス５２と、許否判定プロセス５４と、送信プロセス５６とを有する。なお、図示は省略するが、記憶部４３には、操作対象端末２０で実行される業務処理に対応したプログラムや各種情報も記憶されている。
【００２５】
ＣＰＵ４１は、接続判定プログラム５０を記憶部４３から読み出してメモリ４２に展開し、接続判定プログラム５０が有するプロセスを順次実行する。ＣＰＵ４１は、状態判定プロセス５２を実行することで、図２に示す状態判定部１２として動作する。また、ＣＰＵ４１は、許否判定プロセス５４を実行することで、図２に示す許否判定部１４として動作する。また、ＣＰＵ４１は、送信プロセス５６を実行することで、図２に示す送信部１６として動作する。これにより、接続判定プログラム５０を実行したコンピュータ４０が、接続判定装置１０が搭載された操作対象端末２０として機能する。なお、プログラムを実行するＣＰＵ４１はハードウェアである。
【００２６】
なお、接続判定プログラム５０により実現される機能は、例えば半導体集積回路、より詳しくはApplication Specific Integrated Circuit（ＡＳＩＣ）等で実現することも可能である。
【００２７】
次に、本実施形態に係る接続判定装置１０の作用について説明する。
【００２８】
管理者端末３０から送信された接続要求を操作対象端末２０が受信すると、操作対象端末２０において、ＣＰＵ４１が接続判定プログラム５０を実行することで、図６に示す接続判定処理が実行される。なお、接続判定処理は、開示の技術の接続判定方法の一例である。
【００２９】
ステップＳ１１で、状態判定部１２が、自端末がログイン状態か否かを判定する。自端末がログイン状態の場合には、処理はステップＳ１３へ移行する。自端末が非ログイン状態の場合には、状態判定部１２は、その判定結果を送信部１６へ通知し、処理はステップＳ１２へ移行する。ステップＳ１２では、送信部１６が、操作対象端末２０が非ログイン状態であることを示す状態情報を管理者端末３０へ送信し、処理はステップＳ１５へ移行する。
【００３０】
一方、ステップＳ１３では、状態判定部１２が、自端末がスクリーンロック状態か否かを判定する。自端末がスクリーンロック状態の場合には、状態判定部１２は、その判定結果を送信部１６へ通知し、処理はステップＳ１４へ移行する。ステップＳ１４では、送信部１６が、操作対象端末２０がスクリーンロック状態であることを示す状態情報を管理者端末３０へ送信し、処理はステップＳ１５へ移行する。
【００３１】
ステップＳ１５では、状態判定部１２が、管理者端末３０から接続要求を受信してから、ログイン状態かつ非スクリーンロック状態と判定されることなく一定時間が経過したか否かを判定することにより、タイムアウトしたか否かを判定する。タイムアウトしていない場合には、処理はステップＳ１６へ移行し、所定時間待機した後に、処理はステップＳ１１に戻る。タイムアウトした場合には、状態判定部１２は、タイムアウトしたことを送信部１６へ通知し、処理はステップＳ１７へ移行する。
【００３２】
ステップＳ１７では、送信部１６が、接続拒否情報を管理者端末３０へ送信し、接続判定処理は終了する。
【００３３】
また、上記ステップＳ１３で、否定判定された場合、すなわち、自端末がログイン状態かつ非スクリーンロック状態の場合、状態判定部１２が、その判定結果を許否判定部１４へ通知し、処理はステップＳ１８へ移行する。
【００３４】
ステップＳ１８では、許否判定部１４が、自端末が備える表示部に、例えば図３に示すような接続許否選択画面６０を表示する。次に、ステップＳ１９で、許否判定部１４が、接続許否選択画面６０を表示した旨を送信部１６へ通知し、送信部１６が、接続許否を確認中であることを示す状態情報を管理者端末３０へ送信する。
【００３５】
次に、ステップＳ２０で、許否判定部１４が、接続許否選択画面６０において、許可ボタン６２又は拒否ボタン６３のいずれかが選択されたか否かを判定する。いずれのボタンも選択されていない場合には、処理はステップＳ２１へ移行し、許否判定部１４が、接続許否選択画面６０を表示してから一定時間が経過したか否かを判定することにより、タイムアウトしたか否かを判定する。タイムアウトしていない場合には、処理はステップＳ１９に戻る。タイムアウトした場合には、許否判定部１４は、タイムアウトしたことを送信部１６へ通知し、処理はステップＳ１７へ移行する。
【００３６】
一方、上記ステップＳ２０で、許可ボタン６２又は拒否ボタン６３のいずれかが選択されたと判定された場合には、処理はステップＳ２２へ移行する。ステップＳ２２では、許否判定部１４が、選択されたのは許可ボタン６２か否かを判定する。許可ボタン６２が選択された場合には、許否判定部１４は、その旨を送信部１６へ通知し、処理はステップＳ２３へ移行する。拒否ボタン６３が選択された場合には、許否判定部１４は、その旨を送信部１６へ通知し、処理はステップＳ１７へ移行する。
【００３７】
ステップＳ２３では、送信部１６が、接続許可情報を管理者端末３０へ送信する。次に、ステップＳ２４で、許否判定部１４が、自端末の表示部に、例えば図４に示すような、自端末と管理者端末３０との接続を切断する指示を受け付けるための通知ウィンドウ７０を表示する。
【００３８】
次に、ステップＳ２５で、許否判定部１４が、通知ウィンドウ７０の切断ボタン７１が選択されたか否かを判定する。切断ボタン７１が選択された場合、許否判定部１４は、その旨を送信部１６へ通知し、処理はステップＳ２６へ移行する。ステップＳ２６では、許否判定部１４が、自端末と管理者端末３０との接続を切断する。また、許否判定部１４が、切断ボタン７１が選択されたことを示す情報を送信部１６へ通知し、送信部１６が、接続拒否情報を管理者端末３０へ送信し、処理はステップＳ２８へ移行する。
【００３９】
一方、上記ステップＳ２５で、切断ボタン７１が選択されていないと判定された場合には、処理はステップＳ２７へ移行し、許否判定部１４が、管理者端末３０側から接続が切断されたか否かを判定する。管理者端末３０側から接続が切断された場合には、処理はステップＳ２８へ移行し、切断されていない場合には、処理はステップＳ２５に戻る。
【００４０】
ステップＳ２８では、許否判定部１４が、通知ウィンドウ７０の表示を終了し、接続判定処理は終了する。
【００４１】
図７に、接続要求に対して、操作対象端末２０から送信される各種情報に基づいて、管理者端末３０に表示される管理用画面８０の一例を示す。図７の例では、管理者端末３０から、複数の操作対象端末２０に接続要求を行っている場合を示している。管理用画面８０は、接続要求を行っている操作対象端末２０の各々に対応した領域を含み、かつ各領域に各操作対象端末２０の状態が表示される状態表示領域８１を含む。また、管理用画面８０には、遠隔操作のためのメニュー８２や、接続要求を行っている操作対象端末２０のリスト、及び各操作対象端末２０の接続状態の簡易表示などを含む一覧表示８３を表示してもよい。
【００４２】
例えば、管理者端末３０から、４台の操作対象端末ＰＣ１、ＰＣ２、ＰＣ３、ＰＣ４に接続要求を送信したとする。そして、管理者端末３０が、操作対象端末ＰＣ１から、図６のステップＳ１９で送信される接続許否を確認中である旨の状態情報を受信したとする。この場合、管理用画面８０の状態表示領域８１に含まれる操作対象端末ＰＣ１に対応した領域８１Ａには、図７に示すように、接続許否を確認中である旨のメッセージが表示される。
【００４３】
また、管理者端末３０が、操作対象端末ＰＣ２から、図６のステップＳ２１で送信される接続許可情報を受信したとする。この場合、管理用画面８０の状態表示領域８１に含まれる操作対象端末ＰＣ２に対応した領域８１Ｂには、図７に示すように、操作対象端末ＰＣ２のデスクトップと同一の画面が表示される。
【００４４】
また、管理者端末３０が、操作対象端末ＰＣ３から、図６のステップＳ１７又はＳ２４で送信される接続拒否情報を受信したとする。この場合、管理用画面８０の状態表示領域８１に含まれる操作対象端末ＰＣ３に対応した領域８１Ｃには、図７に示すように、接続が拒否されたことを示すメッセージが表示される。
【００４５】
また、管理者端末３０が、操作対象端末ＰＣ４から、図６のステップＳ１２で送信される非ログイン状態を示す状態情報、又はステップＳ１４で送信されるスクリーンロック状態を示す状態情報を受信したとする。この場合、管理用画面８０の状態表示領域８１に含まれる操作対象端末ＰＣ４に対応した領域８１Ｄには、図７に示すように、接続許否の確認ができない状態である旨のメッセージが表示される。
【００４６】
以上説明したように、本実施形態に係る接続判定装置によれば、管理者端末から接続要求を受信した場合に、自端末がログイン状態か否か、又はスクリーンロック状態か否かを判定する。そして、接続判定装置は、自端末が非ログイン状態又はスクリーンロック状態の場合には、管理者端末からの接続を許可しない。また、接続判定装置は、自端末がログイン状態かつ非スクリーンロック状態の場合には、自端末の操作者に接続の許否を確認する。これにより、ログイン状態に応じて接続処理を制御することができる。
【００４７】
なお、上記実施形態では、ログイン状態又はスクリーンロック状態の判定処理がタイムアウトした場合に、操作対象端末から管理者端末へ接続拒否情報を送信する場合について説明したが、これに限定されない。接続拒否情報とは区別して、ログイン状態又はスクリーンロック状態の判定処理がタイムアウトしたことを示す情報を送信してもよい。さらに、操作対象端末の状態が非ログイン状態でタイムアウトしたのか、スクリーンロック状態でタイムアウトしたのかを区別した情報を送信するようにしてもよい。
【００４８】
また、上記では、接続判定プログラム５０が記憶部４３に予め記憶（インストール）されている態様を説明したが、これに限定されない。プログラムは、ＣＤ−ＲＯＭ、ＤＶＤ−ＲＯＭ、ＵＳＢメモリ等の記憶媒体に記憶された形態で提供することも可能である。
【００４９】
以上の実施形態に関し、更に以下の付記を開示する。
【００５０】
（付記１）
コンピュータによって実行される接続判定プログラムにおいて、
接続要求を受信すると、前記コンピュータがログイン状態であるか否かを判定し、
ログイン状態であると判定された場合、前記接続要求の許否についての入力を求める表示を行い、
ログイン状態でないと判定された場合、前記表示をせずに、非ログイン状態に対応する情報を前記接続要求の要求元に送信する、
処理をコンピュータに実行させることを特徴とする接続判定プログラム。
【００５１】
（付記２）
ログイン状態であると判定された場合、ログイン状態に対応する情報を前記要求元に送信する、
ことを特徴とする付記１に記載の接続判定プログラム。
【００５２】
（付記３）
前記接続要求を許可する入力を受け付けると、前記接続要求を許可することを示す情報を前記要求元に送信する、
ことを特徴とする付記１に記載の接続判定プログラム。
【００５３】
（付記４）
ログイン状態でないと判定された場合、所定のタイミングにおいて、再度ログイン状態であるか否かを判定する、
ことを特徴とする付記１に記載の接続判定プログラム。
【００５４】
（付記５）
前記接続要求を許可した後、接続の切断を受け付けるための表示を行う、
ことを特徴とする付記３に記載の接続判定プログラム。
【００５５】
（付記６）
接続要求を受信すると、前記接続要求の対象端末がログイン状態であるか否かを判定する状態判定部と、
ログイン状態であると判定された場合、前記接続要求の許否についての入力を求める表示を行う許否判定部と、
ログイン状態でないと判定された場合、前記表示をせずに、非ログイン状態に対応する情報を前記接続要求の要求元に送信する送信部と、
を含むことを特徴とする接続判定装置。
【００５６】
（付記７）
前記送信部は、前記状態判定部によりログイン状態であると判定された場合、ログイン状態に対応する情報を前記要求元に送信する、
ことを特徴とする付記６に記載の接続判定装置。
【００５７】
（付記８）
前記送信部は、前記許否判定部により前記接続要求を許可する入力が受け付けられると、前記接続要求を許可することを示す情報を前記要求元に送信する、
ことを特徴とする付記６に記載の接続判定装置。
【００５８】
（付記９）
前記状態判定部は、ログイン状態でないと判定した場合、所定のタイミングにおいて、再度ログイン状態であるか否かを判定する、
ことを特徴とする付記６に記載の接続判定装置。
【００５９】
（付記１０）
前記許否判定部は、前記接続要求を許可した後、接続の切断を受け付けるための表示を行う、
ことを特徴とする付記８に記載の接続判定装置。
【００６０】
（付記１１）
コンピュータによって実行される接続判定方法において、
接続要求を受信すると、前記コンピュータがログイン状態であるか否かを判定し、
ログイン状態であると判定された場合、前記接続要求の許否についての入力を求める表示を行い、
ログイン状態でないと判定された場合、前記表示をせずに、非ログイン状態に対応する情報を前記接続要求の要求元に送信する、
処理をコンピュータが実行することを特徴とする接続判定方法。
【００６１】
（付記１２）
ログイン状態であると判定された場合、ログイン状態に対応する情報を前記要求元に送信する、
ことを特徴とする付記１１に記載の接続判定方法。
【００６２】
（付記１３）
前記接続要求を許可する入力を受け付けると、前記接続要求を許可することを示す情報を前記要求元に送信する、
ことを特徴とする付記１１に記載の接続判定方法。
【００６３】
（付記１４）
ログイン状態でないと判定された場合、所定のタイミングにおいて、再度ログイン状態であるか否かを判定する、
ことを特徴とする付記１１に記載の接続判定方法。
【００６４】
（付記１５）
前記接続要求を許可した後、接続の切断を受け付けるための表示を行う、
ことを特徴とする付記１３に記載の接続判定方法。
【００６５】
（付記１６）
コンピュータによって実行される接続判定プログラムにおいて、
接続要求を受信すると、前記コンピュータがログイン状態であるか否かを判定し、
ログイン状態であると判定された場合、前記接続要求の許否についての入力を求める表示を行い、
ログイン状態でないと判定された場合、前記表示をせずに、非ログイン状態に対応する情報を前記接続要求の要求元に送信する、
処理をコンピュータに実行させることを特徴とする接続判定プログラムを記憶した記憶媒体。
【符号の説明】
【００６６】
１０   接続判定装置
１２   状態判定部
１４   許否判定部
１６   送信部
２０   操作対象端末
３０   管理者端末
４０   コンピュータ
４１   ＣＰＵ
４２   メモリ
４３   記憶部
４９   記憶媒体
５０   接続判定プログラム
６０   接続許否選択画面
６２   許可ボタン
６３   拒否ボタン
７０   通知ウィンドウ
７１   切断ボタン
【図１】
2018081639.tif 000003
【図２】
2018081639.tif 000004
【図３】
2018081639.tif 000005
【図４】
2018081639.tif 000006
【図５】
2018081639.tif 000007
【図６】
2018081639.tif 000008
【図７】
2018081639.tif 000009